(57)【要約】      （修正有）【課題】頭髪の切断をスムーズに行い、頭髪に損傷を与えない梳き鋏を提供する。【解決手段】中心軸３によって回動可能に軸支され、中心軸３を中心として回動して開閉する第１の切り刃体１および第２の切り刃体２を含む。第１の切り刃体１には、複数の櫛刃体１１が平行に形成される。各櫛刃体１１の両側辺は、中心軸３から側辺までの長さを半径として形成された円弧状である。各櫛刃体１１の端部には、切り刃１１１が形成される。切り刃１１１の中心軸３に近い端部には、突出したガイド部が設けられる。第２の切り刃体２の第１の切り刃体１に対向する側辺には、鋭刃２１および鈍刃２２が間隔をあけて形成される。鋭刃２１は、第１の切り刃体１の切り刃１１１に対応し、頭髪を切断する。鈍刃２２は、第１の切り刃体１の櫛刃間隙１２に対応し、頭髪を切断しない。【選択図】図１
0003151839.tif 000002
【実用新案登録請求の範囲】
【請求項１】
中心軸によって回動可能に軸支された第１の切り刃体および第２の切り刃体を含み、前記第１の切り刃体と前記第２の切り刃体とは、中心軸を中心として回動して開閉し、閉じられたとき、頭髪を切断し、
前記第１の切り刃体の前記第２の切り刃体に対向する側辺には、櫛刃体が平行に形成され、前記各櫛刃体の両側辺は、前記中心軸から前記側辺までの距離を半径として形成された円弧状であり、前記各櫛刃体の端部には、切り刃が形成され、前記切り刃の中心軸に近い端部には、突出したガイド部が設けられ、
前記第２の切り刃体の第１の切り刃体に対向する側辺には、鋭刃および鈍刃が間隔をあけて形成され、前記鋭刃は、前記第１の切り刃体の切り刃に対応し、頭髪を切断し、前記鈍刃は、前記第１の切り刃体の櫛刃間隙に対応し、頭髪を切断しないことを特徴とする梳き鋏。
【請求項２】
前記ガイド部には、自由端から前記切り刃まで延伸されたガイド斜面が設けられることを特徴とする請求項１記載の梳き鋏。
【請求項３】
前記鈍刃は、円弧形であることを特徴とする請求項１または２記載の梳き鋏。
【考案の詳細な説明】
【技術分野】
【０００１】
本考案は、理髪用の鋏に関する。
【背景技術】
【０００２】
理髪用の鋏には、複数の種類がある。図４を参照する。図４に示す鋏は、理容師が頭髪を梳くときに使用する器具である。図４に示す鋏は、お互いに回動可能に軸支された第１の切り刃体Ａおよび第２の切り刃体Ｂを含む。第１の切り刃体Ａには、複数の直線状の櫛刃体Ａ１が形成され、各櫛刃体Ａ１の端部には、切り刃Ａ１１が設けられる。第２の切り刃体Ｂの一方の側辺は、すべて鋭刃Ｂ１である。第１の切り刃体Ａと第２の切り刃体Ａとを回動して閉じたとき、第２の切り刃体Ｂの鋭刃Ｂ１と、櫛刃体Ａ１の切り刃Ａ１１と、によって頭髪が切断される。鋭刃Ｂ１は、櫛刃体Ａ１間の櫛刃間隙の底部まで到達しないため、一部の頭髪は、櫛刃間隙中に残り、頭髪が梳かれる。
【０００３】
従来の全ての鋏は、２つの切り刃体が中心軸を中心として回動されたときの円弧運動により、頭髪を切断する。しかし、従来の梳き鋏は、櫛刃体が直線状であるために、櫛刃体の切り刃が頭髪を切断するとき、スムーズに切断できない。また、従来の櫛刃体の端部の切り刃は、平坦であるために、頭髪を切断するとき、頭髪が切り刃から容易に滑り落ち、確実な切断ができない。
【０００４】
また、梳き鋏の特徴は、一部の頭髪が櫛刃間隙中に入ることにより、切断されないというものであるが、従来の梳き鋏の第２の切り刃体の鋭刃Ｂ１は、全体に連続して配置されているため、頭髪が櫛刃間隙中に入った後、梳き鋏が頭髪から離されるとき、鋭刃Ｂ１によって損傷を受けやすい。
【先行技術文献】
【特許文献】
【０００５】
【特許文献１】特開２００７−２０９７６号公報
【考案の概要】
【考案が解決しようとする課題】
【０００６】
本考案の第１の目的は、従来の梳き鋏における、櫛刃体が直線状であるために、頭髪を切断をスムーズに行うことができないという問題を解決できる梳き鋏を提供することにある。
本考案の第２の目的は、従来の梳き鋏における、櫛刃体の切り刃が平坦であるために、頭髪を切断するとき、頭髪が切り刃から容易に滑り落ち、確実な切断ができないという問題を解決できる梳き鋏を提供することにある。
本考案の第３の目的は、従来の梳き鋏における、第２の切り刃体の鋭刃が全体に連続して配置されているために、頭髪が櫛刃間隙中に入った後、梳き鋏が頭髪から離されるるとき、鋭刃によって損傷を受けやすいという問題を解決できる梳き鋏を提供することにある。
【課題を解決するための手段】
【０００７】
本考案は、梳き鋏を提供するものであり、中心軸によって回動可能に軸支され、中心軸を中心として回動して開閉する第１の切り刃体および第２の切り刃体を含む。第１の切り刃体には、複数の櫛刃体が平行に形成される。各櫛刃体の両側辺は、中心軸から側辺までの長さを半径として形成された円弧状である。各櫛刃体の端部には、切り刃が形成される。切り刃の中心軸に近い端部には、突出したガイド部が設けられる。第２の切り刃体の第１の切り刃体に対向する側辺には、鋭刃および鈍刃が間隔をあけて形成される。鋭刃は、第１の切り刃体の切り刃に対応し、頭髪を切断する。鈍刃は、第１の切り刃体の櫛刃間隙に対応し、頭髪を切断しない。
【０００８】
第１の切り刃体の各櫛刃体のガイド部に、自由端から切り刃まで延伸されたガイド斜面が設けられることにより、頭髪は、切り刃部分にスムーズにガイドされる。
【０００９】
第２の切り刃体上の鈍刃は、円弧形であり、頭髪に損傷を与えることを防止する。
【考案の効果】
【００１０】
梳き鋏の第１の切り刃体に、両側辺が中心軸から側辺までの長さを半径として形成された円弧状である櫛刃体が複数設けられることにより、第１の切り刃体と第２の切り刃体とを回動させたとき、頭髪をスムーズに切断することができる。
第１の切り刃体の各櫛刃体の切り刃の一方の側部に、突出したガイド部が形成されることにより、第１の切り刃体と第２の切り刃体とによって頭髪を切断するとき、頭髪が切り刃の部分にガイドされ、滑り落ちることがないため、頭髪を確実に切断することができる。
梳き鋏の第２の切り刃体に、第１の切り刃体の切り刃に対応した鋭刃および第１の切り刃体の櫛刃間隙に対応した鈍刃が間隔をあけて複数設けられることにより、頭髪を切断したとき、一部の頭髪は、櫛刃間隙に入り、梳き鋏が頭髪から離されるとき、鋭刃によって損傷を受けないため、頭髪を保護することができる。
【図面の簡単な説明】
【００１１】
【図１】本考案の一実施形態による梳き鋏の第１の切り刃体と第２の切り刃体とを開いた状態を示す平面図である。
【図１Ａ】図１に示す梳き鋏の拡大図である。
【図２】本考案の一実施形態による梳き鋏の第１の切り刃体と第２の切り刃体とを閉じて頭髪を切断した後、一部の頭髪が櫛刃間隙に残された状態を示す拡大図である。
【図３】本考案の一実施形態による梳き鋏の第１の切り刃体に設けられた櫛刃体の実施形態を示す拡大図である。
【図３Ａ】図３に示す櫛刃体の平面図である。
【図３Ｂ】図３に示す櫛刃体の側面図である。
【図４】従来の梳き鋏を示す平面図である。
【考案を実施するための形態】
【００１２】
本考案の目的、特徴および効果を示す実施形態を図面に沿って詳細に説明する。
【００１３】
図１および図１Ａを同時に参照する。図１および図１Ａは、本考案の一実施形態を示し、中心軸３により回動可能に軸支された第１の切り刃体１および第２の切り刃体２を含む。第１の切り刃体１および第２の切り刃体２には、同一の端部に指孔部がそれぞれ設けられ、ユーザは、指孔部に親指および人差し指を入れて梳き鋏を操作する。第１の切り刃１と第２の切り刃２とは、中心軸３を中心として回動されて開閉され、閉じたとき、頭髪が切断される。第１の切り刃体１の第２の切り刃体２に対向する側辺には、複数の櫛刃体１１が平行に形成される。各櫛刃体１１の両側辺は、中心軸３から側辺までの長さを半径Ｒとして形成された円弧状である。また、各櫛刃体１１の端部には、切り刃１１１が形成され、切り刃１１１の中心軸３に近い端部には、突出したガイド部１１３が設けられる。
【００１４】
第２の切り刃体２の第１の切り刃体１に対向する側辺には、鋭刃２１および鈍刃２２が間隔をあけて形成される。鋭刃２１は、第１の切り刃体１の切り刃１１１に対応し、頭髪を切断する。鈍刃２２は、第１の切り刃体１の櫛刃間隙１２に対応し、頭髪を切断しない。鈍刃２２は、頭髪を傷つけないために、円弧形に研磨されるのが好ましい。
【００１５】
図３、図３Ａおよび図３Ｂを参照する。本実施形態の第１の切り刃体１上に設けられた各櫛刃体１１の構造を説明する。櫛刃体１１の自由端は、研磨されて切り刃斜面１１２が形成され、端辺に鋭利な切り刃１１１が形成される。櫛刃体１１の一方の側部は、研磨されず、突出したガイド部１１３が形成される。ガイド部１１３は、切り刃１１１の方向に研磨され、自由端から切り刃１１１まで延伸されたガイド斜面１１３１が形成される。頭髪４を切断するとき、ガイド斜面１１３１により、頭髪４は、切り刃１１１の部分にスムーズにガイドされる。
【００１６】
図２を参照する。図２に示すように、本実施形態による梳き鋏を使用するとき、第１の切り刃体１および第２の切り刃体２を操作することにより、頭髪４を切断する。ガイド部１１３のガイド斜面１１３１により、一部の頭髪４が切り刃１１１上にガイドされ、第２の切り刃体２の鋭刃２１と、切り刃１１１と、が接触したとき、頭髪４が切断される。切断過程において、ガイド部１１３によって頭髪４が切り刃１１１から滑り落ちるのが阻止されるため、確実に切断される。第１の切り刃体１と第２の切り刃体２とによって頭髪４を切断したとき、一部の頭髪４は、２つの櫛刃体１１間の櫛刃間隙１２中に入り、第１の切り刃体１と第２の切り刃体２とが閉じられた後、鈍刃２２が頭髪４を櫛刃間隙１２の底部に閉じ込める。このとき、ユーザは、梳き鋏を頭髪４の方向に引っ張り、頭髪４を櫛刃間隙１２から引き出すことができ、頭髪４が損傷を受けることがない。
【００１７】
以上の説明は、本考案の好適な実施形態を示したものであり、本考案を限定するものではない。本考案の主旨を逸脱しない範囲における修飾または変更は、すべて保護される範囲に含まれる。
【符号の説明】
【００１８】
１  第１の切り刃体
１１  櫛刃体
１１１  切り刃
１１２  切り刃斜面
１１３  ガイド部
１１３１  ガイド斜面
１２  櫛刃間隙
２  第２の切り刃体
２１  鋭刃
２２  鈍刃
３  中心軸
４  頭髪
Ｒ  半径
【図１】
0003151839.tif 000003
【図１Ａ】
0003151839.tif 000004
【図２】
0003151839.tif 000005
【図３】
0003151839.tif 000006
【図３Ａ】
0003151839.tif 000007
【図３Ｂ】
0003151839.tif 000008
【図４】
0003151839.tif 000009